(57)【要約】      （修正有）【課題】器具本体と照射面までの距離や位置によって、光源の発光中心を変えて照射方向を変更することが可能であって、照射面の明るさを保つことができる投光形照明器具を提供する。【解決手段】  片口金形の光源２１の発光部を片側から囲む船形の反射笠７を備える。光源２１から出る光を前記反射笠７で受け特定照射方向へ光を投射する配光特性である。ソケット受け部２３と該ソケット受け部２３の一端から直角方向に延在する取付け部２４を含むフォルダを備える。取付け部２３の装着構造は取付け部２３の表側を固定しあるいは裏側を固定することの可能な選択装着構造である。かつ、取付け部２３の装着構造は該取付け部２３を光源２１側に少なく突き出しあるいは多く突き出すことの可能な選択装着構造である。選択装着構造の選択により反射笠７に対する光源２１の発光中心の位置を特定照射方向への変化を含む少なくとも４通りに変更可能とする。【選択図】    図１
2007109621.tif 000002
【特許請求の範囲】
【請求項１】
片口金形の光源を備え、前記光源の口金を着脱自在に装着するランプソケットを備え、前記光源の発光部を片側から囲む船形の反射笠を備え、前記反射笠を囲む船形の器具本体を備え、前記光源から出る光を前記反射笠で受け特定照射方向へ光を投射する配光特性であり、ソケット受け部と該ソケット受け部の一端から直角方向に延在する取付け部を含むフォルダを備え、前記ランプソケットを前記ソケット受け部に固定し、
前記取付け部を前記器具本体の基部に着脱自在に装着し、前記取付け部の前記装着構造は前記取付け部の表側を固定しあるいは裏側を固定することの可能な選択装着構造であり、かつ前記取付け部の前記装着構造は該取付け部を前記光源側に少なく突き出しあるいは多く突き出すことの可能な選択装着構造であり、前記選択装着構造の前記選択により前記反射笠に対する前記光源の発光中心の位置を前記特定照射方向への変化を含む少なくとも４通りに変更可能としたことを特徴とする投光形照明器具。
【発明の詳細な説明】
【技術分野】
【０００１】  本発明は、照射方向の変更が可能な投光形照明器具に関する。
【背景技術】
【０００２】  従来器具は、図１１に示すように、照明器具本体１にランプソケット２２が固定されているため、照射方向が単一であり、照明器具本体１と照射面までの距離や位置によっては特定照射面に必要な明るさが保てないことがある。
【発明の開示】
【発明が解決しようとする課題】
【０００３】
【０００４】  本発明の目的は、配光を変えることにより照射方向を変更させ、照明器具本体と照射面までの距離や位置に関係なく、照射面の明るさを保つことができるようにすることである。
【課題を解決するための手段】
【０００５】  本発明においては、上記目的を達成するために、片口金形の光源を備え、前記光源の口金を着脱自在に装着するランプソケットを備え、前記光源の発光部を片側から囲む船形の反射笠を備え、前記反射笠を囲む船形の器具本体を備え、前記光源から出る光を前記反射笠で受け特定照射方向へ光を投射する配光特性であり、ソケット受け部と該ソケット受け部の一端から直角方向に延在する取付け部を含むフォルダを備え、前記ランプソケットを前記ソケット受け部に固定し、
前記取付け部を前記器具本体の基部に着脱自在に装着し、前記取付け部の前記装着構造は前記取付け部の表側を固定しあるいは裏側を固定することの可能な選択装着構造であり、かつ前記取付け部の前記装着構造は該取付け部を前記光源側に少なく突き出しあるいは多く突き出すことの可能な選択装着構造であり、前記選択装着構造の前記選択により前記反射笠に対する前記光源の発光中心の位置を前記特定照射方向への変化を含む少なくとも４通りに変更可能とする。
【発明の効果】
【０００６】  本発明によれば、照明器具と照射面までの距離や位置によって光源の発光中心を変えて照射方向を変更することが可能になり照射面の明るさを保つことができる。
【発明を実施するための最良の形態】
【０００７】  本発明の実施形態をを図１〜図１０を用いて説明する。本発明に係る投光形照明器具は、片口金形の光源２１を備える。前記光源２１の口金を着脱自在に装着するランプソケット２２を備える。前記光源２１の発光部を片側から囲む船形の反射笠７を備える。前記反射笠７を囲む船形の器具本体１を備える。前記光源２１から出る光を前記反射笠７で受け特定照射方向４１へ光を投射する配光特性である。ソケット受け部２３と該ソケット受け部２３の一端から直角方向に延在する取付け部２４を含むフォルダを備える。前記ランプソケット２２を前記ソケット受け部２３に固定する。【０００８】  前記取付け部２３を前記器具本体１の基部に着脱自在に装着する。前記取付け部２３の前記装着構造は前記取付け部２３の表側を固定しあるいは裏側を固定することの可能な選択装着構造である。かつ、前記取付け部２３の前記装着構造は該取付け部２３を前記光源２１側に少なく突き出しあるいは多く突き出すことの可能な選択装着構造である。前記選択装着構造の前記選択により前記反射笠７に対する前記光源２１の発光中心の位置を前記特定照射方向４１への変化を含む少なくとも４通りに変更可能とする。
説明を補足する。前記取付け部２４に、その長手方向に対して等間隔な取付け孔２５を形成する。前記器具本体１にフォルダ取付け金具２を設ける。前記フォルダ取付け金具２に取付け孔３を形成する。取付けねじ２６を備える。前記取付けねじ２６を前記取付け孔２５を介して前記取付け孔３に着脱自在に装着する。前記装着構造は前記取付け部２４の表側を固定しあるいは裏側を固定することが可能である。また、前記取付け部２４における複数の前記取付け孔２５を変更することにより、前記光源２１側に少なく突き出しあるいは多く突き出すことができる。以上のような前記選択装着構造の選択により前記反射笠７に対する前記光源２１の発光中心の位置を前記特定照射方向４１への変化を含む４通りに変更可能となる。【０００９】  器具本体１の外側に可動式の取付けアーム４を形成する。前記選択装着構造と併用して取付けアーム４を可動させることにより照射方向を変更させることができる。さらに、前記器具本体１の下面を保護するために、器具本体１の反射板側に蝶番３３を設け、前記蝶番３３の一方にカバー枠３１を設け、前記カバー枠３１に透光用のガラスカバー３２を設ける。前記器具本体１の前記蝶番３３の対面するソケット側にカバー枠受台５を備える。前記カバー枠受台５にカバー枠取付け孔６を形成する。前記カバー枠３１は前記蝶番３３を支点に前記カバー枠受台５まで可動させ、カバー枠取付けねじ３４により前記カバー枠受台５に備えたカバー枠取付け孔６へ通して固定することにより前記器具本体１の下面が保護される。
【図面の簡単な説明】
【００１０】
【図１】本発明器具の光源位置の変更状態を示す斜視図
【図２】同器具の使用状態を示す斜視図
【図３】同器具の光源位置が下部・ソケット寄り配置を示す側面断面図。
【図４】同器具の光源位置が下部・ソケット寄り配置の照射方向を示す側面図
【図５】同器具の光源位置が下部・反射笠寄り配置を示す側面断面図。
【図６】同器具の光源位置が下部・反射笠寄り配置の照射方向を示す側面図
【図７】同器具の光源位置が上部・ソケット寄り配置を示す側面断面図。
【図８】同器具の光源位置が上部・ソケット寄り配置の照射方向を示す側面図
【図９】同器具の光源位置が上部・反射笠寄り配置を示す側面断面図。
【図１０】同器具の光源位置が上部・反射笠寄り配置の照射方向を示す側面図
【図１１】従来器具の構造を示す側面断面図
【符号の説明】
１：器具本体
２：フォルダ取付け金具
３：取付け孔
４：アーム
５：カバー枠受台
６：カバー枠取付け孔
７：反射笠
２１：光源
２２：ランプソケット
２３：ソケット受け部
２４：取付け部
２５：取付け孔
２６：取付けねじ
３１：カバー枠
３２：ガラスカバー
３３：蝶番
４１：特定照射方向
【図１】
2007109621.tif 000003
【図２】
2007109621.tif 000004
【図３】
2007109621.tif 000005
【図４】
2007109621.tif 000006
【図５】
2007109621.tif 000007
【図６】
2007109621.tif 000008
【図７】
2007109621.tif 000009
【図８】
2007109621.tif 000010
【図９】
2007109621.tif 000011
【図１０】
2007109621.tif 000012
【図１１】
2007109621.tif 000013